(57)【要約】【課題】  携帯通信端末において、マナーモードの必要性を適切に判定し、マナーモードを設定できる仕組みを提供する。【解決手段】。  携帯通信端末は、音声出力機能を有する音声出力部と、該音声出力機能の制限を推奨するマナーモード信号を受信する無線受信部と、を有し、上記無線受信部によって受信したマナーモード信号の受信回数に基づいてマナーモードを設定し又は解除するように構成されている。【選択図】  図１
2007028158.tif 000002
【特許請求の範囲】
【請求項１】
音声出力機能を有する音声出力部と、該音声出力機能の制限を推奨するマナーモード信号を受信する無線受信部と、を有し、上記無線受信部によって受信したマナーモード信号の受信回数に基づいてマナーモードを設定し又は解除するように構成されている携帯通信端末。
【請求項２】
請求項１記載の携帯通信端末において、上記マナーモード信号の受信回数は所定の期間毎に計数することを特徴とする携帯通信端末。
【請求項３】
請求項２記載の携帯通信端末において、上記所定の期間内におけるマナーモード信号の受信回数が所定の閾値より大きい時には、マナーモードが設定されることを特徴とする携帯通信端末。
【請求項４】
請求項２記載の携帯通信端末において、上記所定の期間内におけるマナーモード信号の受信回数が所定の閾値より小さい時には、マナーモードは解除されることを特徴とする携帯通信端末。
【請求項５】
請求項２記載の携帯通信端末において、上記所定の期間内におけるマナーモード信号の受信回数として、マナーモード信号を受信した毎に所定の係数である重みを積算して得た積算値を用いることを特徴とする携帯通信端末。
【請求項６】
請求項５記載の携帯通信端末において、上記重みは、マナーモード信号に付加して送信されたものであることを特徴とする携帯通信端末。
【請求項７】
請求項５記載の携帯通信端末において、上記重みは、マナーモード信号の受信回数を変数とする関数の値として得られることを特徴とする携帯通信端末。
【請求項８】
請求項７記載の携帯通信端末において、上記関数の値は、マナーモード信号の受信回数の増加と共に減少することを特徴とする携帯通信端末。
【請求項９】
請求項７記載の携帯通信端末において、上記関数の値は、マナーモード信号の受信回数が所定の回数を超えたとき、ゼロとなることを特徴とする携帯通信端末。
【請求項１０】
請求項１記載の携帯通信端末において、音声出力機能の制限を推奨するマナーモード信号をブロードキャスト送信する無線送信部を有することを特徴とする携帯通信端末。
【請求項１１】
請求項１０記載の携帯通信端末において、上記無線送信部は、上記無線受信部によって受信したマナーモード信号の受信回数に基づいて、マナーモード信号の送信頻度を変化させることを特徴とする携帯通信端末。
【請求項１２】
請求項１０記載の携帯通信端末において、上記無線送信部は、上記無線受信部によって受信したマナーモード信号の受信回数が所定の閾値より大きいときに、マナーモード信号の送信頻度を減少させ、マナーモード信号の受信回数が所定の閾値より小さいときに、マナーモード信号の送信頻度を増加させることを特徴とする携帯通信端末。
【請求項１３】
請求項１０記載の携帯通信端末において、上記無線送信部は、上記無線受信部によって受信したマナーモード信号の受信回数に基づいて、所定の係数である重みを送信するように構成されている携帯通信端末。
【請求項１４】
請求項１０記載の携帯通信端末において、上記無線送信部は、電源がオフのときでも、上記所定の期間毎にマナーモード信号をブロードキャスト送信するように構成されている携帯通信端末。
【請求項１５】
音声出力機能の制限を推奨するマナーモード信号をブロードキャスト送信する無線送信部を有する携帯通信端末。
【請求項１６】
請求項１５記載の携帯通信端末において、上記無線送信部は、ユーザが本携帯通信端末をマナーモードに設定したとき、上記所定の期間毎にマナーモード信号をブロードキャスト送信するように構成されている携帯通信端末。
【請求項１７】
請求項１５記載の携帯通信端末において、上記無線送信部は、ユーザが本携帯通信端末のマナーモードを解除したとき、上記所定の期間毎にマナーモード信号のブロードキャスト送信を停止するように構成されている携帯通信端末。
【請求項１８】
請求項１５記載の携帯通信端末において、上記無線送信部は、マナーモード信号の送信回数が所定の閾値を超えたときにマナーモード信号のブロードキャスト送信を停止するように構成されている携帯通信端末。
【請求項１９】
請求項１５記載の携帯通信端末において、上記無線送信部は、電源がオフのときでも、上記所定の期間毎にマナーモード信号をブロードキャスト送信するように構成されている携帯通信端末。
【請求項２０】
所定の期間毎に、音声出力機能の制限を推奨するマナーモード信号の受信回数を計数する計数ステップと、
上記マナーモード信号の受信回数と所定の閾値を比較する比較ステップと、
上記比較ステップによる比較結果に基づいて、携帯通信端末をマナーモードに設定し、又は、マナーモードを解除するマナーモード設定及び解除ステップと、
を含む携帯通信端末のマナーモード設定方法。
【発明の詳細な説明】
【技術分野】
【０００１】
本発明は携帯通信端末に関し、詳しくは、携帯端末の着信音の発生を抑制するためのマナーモードを設定する技術に関する。
【背景技術】
【０００２】
公共の場で携帯通信端末が着信音を発すると、状況によっては周囲の人に不快感を生じさせる。従って、そのような場所では、着信音の発生を配慮しなければならない。このために、携帯通信端末には一般にマナーモードという動作モードが備わっている。マナーモードでは、着信音、操作に応じて発生する効果音などを生成する音声出力機能を停止し、着信音を出力する代わりに端末を振動させ、発光させ、又は、何もしないようにすることで周囲に不快感を生じさせることを防止する。
【０００３】
しかし、このマナーモードはユーザが設定しない限り起動しない。例えば、ユーザが、マナーモードを設定すること自体を不注意で忘れてしまうこともある。これを解決するため、端末を自動的にマナーモードに設定するための技術がいくつか提案されている。
【０００４】
図１４は、特許文献１に記載された携帯電話機におけるマナーモード判定処理の流れを示す。特許文献１に記載された例では、Ｂｌｕｅｔｏｏｔｈ（ＴＭ）などの近距離無線通信を用いる。携帯電話機は、まずパケットをブロードキャストし（ステップＳ２００）、そのパケットに対する返答の有無でＢｌｕｅｔｏｏｔｈ規格に基づいて無線通信を行う外部装置が自端末の周囲に存在するかどうかを確認する（ステップＳ２０１）。
【０００５】
外部装置が存在しなければ、マナーモードを非設定として（ステップＳ２０６）、処理を終了する。次に、存在を確認した外部装置のプロファイルが、所定の対象プロファイル（例えばインターコムプロファイルもしくはヘッドセットプロファイル）であるかどうかを再びパケットの送受信によって確認し（ステップＳ２０２）、外部装置が対象プロファイルを有しているかどうかを判定する（ステップＳ２０３）。携帯電話機をマナーモードに設定する（ステップＳ２０４）。該外部装置が対象プロファイルを有していなければ、すべての外部装置をチェックしたかどうか確認し（ステップＳ２０５）、他の外部装置があればステップＳ２０２に処理を戻す。存在するすべての外部装置をチェックしても対象プロファイルを有する外部装置がなければ、ステップＳ２０６へ処理を進めてマナーモードを非設定としたのち、処理を終了する。
【０００６】
特許文献２に記載された例では、ＧＰＳを用いて端末の現在位置もしくは移動速度を測定する。端末の現在位置が、所定の施設内にあるとき、自動的にマナーモードに切り替えるように設定する。端末の移動速度によって、電車などの公共交通機関に乗車中かどうかを判定し、乗車中であればマナーモードに切り替えるように設定する。
【０００７】
特許文献３に記載された例では、施設内や車内にマナーモードを強制する信号を送信する外部機器を設置する。端末は、外部機器からの信号を受信すると、自動的にマナーモードに切り替える。
【特許文献１】特開2004-32394号公報
【特許文献２】特開2001-127848号公報
【特許文献３】特開2000-49686号公報
【発明の開示】
【発明が解決しようとする課題】
【０００８】
携帯通信端末装置の着信音は時として他人の迷惑になる場合があり、これを防ぐための技術として上述のようにいくつか提案されている。
【０００９】
特許文献１の技術では、背景技術で説明した通り、自端末の周囲に存在すると確認した外部装置が所定の対象プロファイルを有していることをパケットの送受信によって確認できれば、自端末をマナーモードに設定する。しかしこの判定方法では、雑踏などの音を立てても特に問題とならない状況であっても、外部装置が存在すれば自端末をマナーモードに設定してしまうという問題がある。さらに、存在を確認した各々の外部機器に対してそれが有するプロファイルを問い合わせるための通信が必要であり、対象プロファイルを有していない外部機器が多数存在する場合には、通信応答の処理量が増加するという問題がある。
【００１０】
特許文献２の技術では、マナーモードの判定処理は端末の移動速度又は位置に基づいている。端末の移動速度に基づいた方法では、端末が移動している状態でなければマナーモードの判定ができないことが問題である。端末の位置に基づいた方法では、位置とマナーモードの必要性との関係（組み合わせや数式など）を前もって記憶装置にすべて登録しておくか、新たな場所に行く度に登録する必要がある。前もって登録する方式では膨大な手間がかかるうえ、状況によってマナーモードの必要性が変化する場所には対応し難い。一方、新たな場所に行く度に登録する方式では、初めて行く場所で効果を自動的に得ることができない点が問題である。
【００１１】
特許文献３の技術では、マナーモードが必要である場所すべてにマナーモード強制のための信号を送信する機器を設置しなければならないという問題がある。また、その場にいる人の意向を反映しないため、その場の状況に応じた柔軟な制御は難しい。
【００１２】
本発明の目的は、マナーモードの必要性を適切に判定し、マナーモードを設定できる仕組みを提供することである。
【課題を解決するための手段】
【００１３】
本発明によると、携帯通信端末は、音声出力機能を有する音声出力部と、該音声出力機能の制限を推奨するマナーモード信号を受信する無線受信部と、を有し、上記無線受信部によって受信したマナーモード信号の受信回数に基づいてマナーモードを設定し又は解除するように構成されている。
【００１４】
本発明によると、上記マナーモード信号の受信回数は所定の期間毎に計数する。上記所定の期間内におけるマナーモード信号の受信回数が所定の閾値より大きい時には、マナーモードが設定される。上記所定の期間内におけるマナーモード信号の受信回数が所定の閾値より小さい時には、マナーモードは解除される。
【００１５】
本発明によると、上記所定の期間内におけるマナーモード信号の受信回数として、マナーモード信号を受信した毎に所定の係数である重みを積算して得た積算値を用いる。上記重みは、マナーモード信号に付加して送信されたものである。上記重みは、マナーモード信号の受信回数を変数とする関数の値として得られる。上記関数の値は、マナーモード信号の受信回数の増加と共に減少する。上記関数の値は、マナーモード信号の受信回数が所定の回数を超えたとき、ゼロとなる。
【００１６】
本発明によると、携帯通信端末において、音声出力機能の制限を推奨するマナーモード信号をブロードキャスト送信する無線送信部を有する。上記無線送信部は、上記無線受信部によって受信したマナーモード信号の受信回数に基づいて、マナーモード信号の送信頻度を変化させる。上記無線送信部は、上記無線受信部によって受信したマナーモード信号の受信回数が所定の閾値より大きいときに、マナーモード信号の送信頻度を減少させ、マナーモード信号の受信回数が所定の閾値より小さいときに、マナーモード信号の送信頻度を増加させる。上記無線送信部は、上記無線受信部によって受信したマナーモード信号の受信回数に基づいて、所定の係数である重みを送信する。上記無線送信部は、電源がオフのときでも、上記所定の期間毎にマナーモード信号をブロードキャスト送信する。
【００１７】
本発明によると、携帯通信端末は、音声出力機能の制限を推奨するマナーモード信号をブロードキャスト送信する無線送信部を有する。上記無線送信部は、ユーザが本携帯通信端末をマナーモードに設定したとき、上記所定の期間毎にマナーモード信号をブロードキャスト送信する。上記無線送信部は、ユーザが本携帯通信端末のマナーモードを解除したとき、上記所定の期間毎にマナーモード信号のブロードキャスト送信を停止する。上記無線送信部は、マナーモード信号の送信回数が所定の閾値を超えたときにマナーモード信号のブロードキャスト送信を停止する。上記無線送信部は、電源がオフのときでも、上記所定の期間毎にマナーモード信号をブロードキャスト送信する。
【００１８】
本発明によると、携帯通信端末のマナーモード設定方法は、所定の期間毎に、音声出力機能の制限を推奨するマナーモード信号の受信回数を計数する計数ステップと、上記マナーモード信号の受信回数と所定の閾値を比較する比較ステップと、上記比較ステップによる比較結果に基づいて、携帯通信端末をマナーモードに設定し、又は、マナーモードを解除するマナーモード設定及び解除ステップと、を含む。
【発明の効果】
【００１９】
本発明によると、マナーモードの必要性を適切に判定し、マナーモードを設定できる仕組みを提供することができる。
【発明を実施するための最良の形態】
【００２０】
図１は本発明における携帯通信端末を用いた通信システムの構成例を示す図である。送信端末１と送信端末２と送受信端末３は、周囲の不特定の他の端末に対してマナーモード信号をブロードキャスト送信する機能を有する。受信端末４と受信端末５と送受信端末３は、周囲の不特定の他の端末がブロードキャスト送信したマナーモード信号を受信する機能を有する。送受信端末３は送信および受信の両方の機能を有するが、送受信端末３自身の発したマナーモード信号は受信しない。
【００２１】
マナーモード信号は、近距離無線通信によるブロードキャスト信号であり、例えば、Ｂｌｕｅｔｏｏｔｈ（ＴＭ）、赤外線通信、ＵＷＢ（Ｕｌｔｒａ  Ｗｉｄｅ  Ｂａｎｄ：超広帯域無線）等であてよく、又は、他の方式の信号でもよい。マナーモード信号は、以下に説明するように、受信回数を計数することができればどのような信号でもよい。
【００２２】
マナーモード信号送信機能を有する端末のユーザは、携帯端末の着信音の発生を抑制する必要があると判断すると、自身の端末をマナーモードに設定し、同時に、マナーモード信号を送信する。自身の端末が既にマナーモードに設定されている場合には、マナーモード信号の送信のみを行う。マナーモード信号受信機能を有する端末は、他の端末からのマナーモード信号を受信し、その回数を計数する。マナーモード信号の受信回数が多ければ多いほど、マナーモードに設定することが望ましいと考えるユーザが周囲に多数いることを意味する。従って、マナーモードに設定すべき状況であると判断することができる。
【００２３】
ここでは、所定の期間内におけるマナーモード信号の受信回数をマナーモード推奨度と称することとする。マナーモード信号受信機能を有する端末のユーザは、マナーモード推奨度が高い場合に、マナーモードに設定し、マナーモード推奨度が低い場合に、マナーモードを解除する。
【００２４】
マナーモード信号送信機能を有する端末は、マナーモード推奨度が高いとき、マナーモード信号の送信頻度を低く、マナーモード推奨度が低いとき、マナーモード信号の送信頻度を高くしてよい。なぜなら、マナーモード推奨度が高いときは、周囲の他人の端末においても、マナーモード推奨度が高いはずである。このような場合に、マナーモード信号の送信頻度を高くする必要はない。逆に、マナーモード推奨度が低いときは、周囲の他人の端末においても、マナーモード推奨度が低いはずである。このような場合、周囲のユーザの注意を喚起するために、マナーモード信号の送信頻度を高くし、他人の端末におけるマナーモード推奨度を増加させる必要がある。
【００２５】
本発明によると、マナーモード信号送信機能を有する端末は、個々の相手端末を識別することなく不特定の他人に対してマナーモード信号をブロードキャスト送信する。一方、マナーモード信号受信機能を有する端末は、不特定の他人からのマナーモード信号をブロードキャスト受信する。従って、場所や時間帯を問わず、マナーモード信号を送信したユーザの意向に基づいて、不特定の他人の通信端末の動作が周囲の迷惑になることを予め防ぐことができる。
【００２６】
受信端末が送信端末に対してマナーモード信号の送信を要求したり、送信端末に対してマナーモード信号の受信完了を通知したりする必要もない。
【００２７】
本実施例において、送信端末がマナーモード信号の送信を開始するための処理をマナーモード信号送信開始処理と呼び、マナーモード信号の送信を停止するための処理をマナーモード信号送信停止処理と呼ぶ。また、受信端末では、マナーモード信号を受信する処理をマナーモード信号受信処理と呼ぶ。以下では、これらの処理について説明する。
【実施例１】
【００２８】
図２は、本発明の実施例１の送信端末の構成を示すブロック図である。送信端末は、制御部１０、メモリ１１、タイマー１２、無線送信部１３及びアンテナ１４を有する。制御部１０は、端末の制御全般を行う中央演算処理装置であり、他のモジュールと直接または間接に接続されている。メモリ１１は、端末に搭載してあるか、端末の外部にあって端末から利用可能な記憶装置であり、データやプログラムを格納する。タイマー１２は、時間を計測して所定時間おきに制御部１０に割り込みをかけ、処理をさせることや、所定の時刻に端末の電源を入れることができる。
【００２９】
無線送信部１３は、音声出力機能の制限を他の端末に対して推奨するためのマナーモード信号を間欠的かつ反復的に送信する。無線送信部１３は、アンテナ１４と接続され、自端末から１０メートル程度の範囲にある他端末との通信を目的とした通信方式により通信できる。通信方式として、近年ではＢｌｕｅｔｏｏｔｈ規格をよく用いるが、赤外線通信やＵＷＢ（Ｕｌｔｒａ  Ｗｉｄｅ  Ｂａｎｄ：超広帯域無線）など、他の方式を用いても構わない。なお、他の目的の通信方式を同時に搭載していてもよい。
【００３０】
尚、本例の送信端末は、通常の携帯電話として機能するように通信網に接続可能な通信機能を有してよいが、ここではその説明は省略する。
【００３１】
図３を参照して、本発明の実施例１の送信端末におけるマナーモード信号送信開始処理について説明する。マナーモード信号送信開始処理は、例えば、端末のユーザがこの場ではマナーモードに設定するのが適切であると判断した場合などに実行され、マナーモード信号を送信することで、周囲に存在する受信端末のユーザに対して、この場ではマナーモードに設定するのが望ましいという意図を伝達できる。
【００３２】
処理を開始すると、まずステップＳ２０で、既にマナーモード信号を送信しているかどうかを判定する。この判定には、メモリ１１に格納するマナーモード信号送信フラグを参照する。マナーモード信号送信フラグが１であれば端末はマナーモード信号を送信していることを示すので、新たに送信を開始する必要はなく、マナーモード信号送信開始処理は終了する。一方、マナーモード信号送信フラグが０であれば端末がマナーモード信号を送信していないことを示すので、ステップＳ２１に処理を進める。
【００３３】
ステップＳ２１では、新たにマナーモード信号の送信を開始する。具体的には、所定の時間間隔Ｐごとにマナーモード信号を送信する割り込み処理を行う。割り込み処理の周期Ｐはタイマー１２により管理される。この割り込み処理の中では、マナーモード信号を1回、無線送信部１３を用いてブロードキャスト送信する。これは特定の受信端末への送信ではなく、また、送信端末は該マナーモード信号を受信した端末からの応答を待たなくてよい。以上でマナーモード信号送信開始処理は終了する。
【００３４】
本例のマナーモード信号送信開始処理は、送信端末にて自動的に又は手動により実行される。送信端末にてユーザが手動でマナーモードを設定するときに、自動的に実行されることが望ましい。これは例えば、送信端末のユーザがマナーモードの設定操作をするときは、このユーザはこの場ではマナーモードに設定するのが適切であると判断している可能性が高いためである。送信端末が既にマナーモードである場合には、送信端末のユーザは手動でマナーモード信号送信開始処理を実行することができる。
【００３５】
次に、図４を参照して本発明の実施例１の送信端末におけるマナーモード信号送信停止処理について説明する。マナーモード信号送信停止処理は、例えば、端末のユーザがこの場ではマナーモードを解除しても差し支えないと判断した場合などに実行され、マナーモード信号の送信を停止する。
【００３６】
処理を開始すると、まずステップＳ３０では、既にマナーモード信号を送信しているかどうかを、このマナーモード信号送信フラグを参照して判定する。マナーモード信号送信フラグが０であれば端末がマナーモード信号を送信していないことを示すので、送信停止処理をする必要はなく、マナーモード信号送信停止処理は終了する。一方、マナーモード信号送信フラグが１であれば端末がマナーモード信号を送信していることを示すので、ステップＳ３１に処理を進める。
【００３７】
ステップＳ３１では、マナーモード信号の送信を停止する。具体的には、所定時間おきにマナーモード信号を送信する割り込み処理を停止する。このようにして割り込み処理が停止されれば、マナーモード信号の送信は停止される。
【００３８】
本例のマナーモード信号送信停止処理は、送信端末にて自動的に又は手動により実行される。マナーモード信号送信停止処理は、送信端末のユーザが手動でマナーモード設定を解除するときに、自動的に実行されることが望ましい。手動でマナーモードを解除するということは、マナーモード設定の必要がないと端末あるいはユーザが判定した可能性が高い。そのような状況においてマナーモード信号を送信し続ける必要性は低いので、マナーモードの解除に伴ってマナーモード信号送信停止処理を自動的に実行することで、ユーザが操作する手間を省ける。マナーモード信号の送信回数が所定の閾値を超えたときに自動的に、本例のマナーモード信号送信停止処理を実行してもよい。
【００３９】
以上でマナーモード信号送信停止処理は終了する。実施例１の送信端末における処理は以上である。
【実施例２】
【００４０】
図５は、本発明の実施例２の受信端末の構成を示すブロック図である。図２と共通のブロックについては同一の番号を付与して説明を省略する。受信端末は、制御部１０、メモリ１１、タイマー１２、アンテナ１４、音声入力部１５、音声出力部１６、バイブレータ１７、無線受信部１８、ディスプレイ１９及び操作入力部２０を有する。
【００４１】
音声入力部１５には符号化部とマイクがあり、外部の音を符号化部で電気信号に変換して入力する。音声出力部１６は音源部とスピーカを備え、スピーカの音量や発音の可否を自由に設定できる。バイブレータ１７は、物理的振動を発生して端末を振るわせる。
【００４２】
無線受信部１８は、他の端末から、音声出力機能の制限を推奨するためのマナーモード信号を受信する。無線受信部１８は、アンテナ１４と接続され、少なくとも図２の無線送信部１３の通信方式による信号を受信できる。ディスプレイ１９は、種々の情報を視覚的に提示する。操作入力部２０は、ボタンやキーなど、入力に応じた信号を発生する。
【００４３】
尚、本例の受信端末は、通常の携帯電話として機能するように通信網に接続可能な通信機能を有してよいが、ここではその説明は省略する。
【００４４】
受信端末は、送信端末の送信するマナーモード信号から得られるマナーモード推奨度に基づいて、マナーモードを設定するか解除するかを判定する。本実施例においては、所定時間枠Ｗ内でのマナーモード信号の受信回数をもってマナーモード推奨度とする。ここで時間枠とは、時間枠の始点時刻ｔｓと予め設定された時間枠の長さＬによって決まる、時間軸上の一範囲である。マナーモードを設定するかどうかは、時間枠Ｗ内での受信回数に等しいマナーモード推奨度ｒと、予め設定した、マナーモード推奨度の閾値Ｍとを用いて、マナーモード推奨度ｒが閾値Ｍ以上かどうかで判定する。時間枠の長さＬや閾値Ｍは、ユーザが決定してメモリ１１に記録できるようにしてもよい。
【００４５】
本実施例の受信端末の無線受信部１８は通常、無線信号を待ち受ける状態にあり、マナーモード信号を受信すると、以降の受信処理を開始する。
【００４６】
図６を参照して本発明の実施例２の受信端末におけるマナーモード信号受信処理の第１の例を説明する。図６は、1回分のマナーモード信号受信処理である。まずステップＳ１０でマナーモード信号を受信する。このときの時刻を受信時刻ｔとする。ステップＳ１１では、時間枠Ｗが既に設定してあるどうかを判定する。時間枠Ｗの始点時刻ｔｓが有効な値であれば、時間枠Ｗは既に設定してあるので、ステップＳ１２に処理を進める。始点時刻ｔｓが有効な値でなければ、時間枠Ｗをまだ設定していないので、ステップＳ１６に処理を進める。
【００４７】
ステップＳ１２は、ステップＳ１１で時間枠Ｗを設定していると判定されたときであり、今回の受信時刻ｔが時間枠Ｗ内であるかどうかを判定する。始点時刻ｔｓから受信時刻ｔまでの時間が時間枠Ｗの長さＬ以上の場合、即ち、ｔ−ｔｓ≧Ｌの場合、受信時刻ｔは時間枠Ｗの外であり、ステップＳ１３に処理を進める。時刻ｔｓから受信時刻ｔまでの時間が時間枠Ｗの長さＬ未満の場合、即ち、ｔ−ｔｓ＜Ｌの場合、受信時刻ｔは時間枠Ｗの範囲内であり、ステップＳ１７に処理を進める。
【００４８】
ステップＳ１３は、時間枠Ｗが終了した後にマナーモード信号を受信したときの処理である。ここでは、既に終了した時間枠Ｗにおける最終的なマナーモード推奨度ｒを閾値Ｍと比較することで、マナーモードを設定するのが適切であるかどうか判定する。時間枠Ｗ内にマナーモード推奨度ｒが閾値Ｍ以上の場合、即ち、ｒ≧Ｍのとき、現在の状況では自端末をマナーモードに設定すべきであると判定し、ステップＳ１４に処理を進める。マナーモード推奨度ｒが閾値Ｍ未満の場合、即ち、ｒ＜Ｍのとき、マナーモードの設定は不要であると判定し、ステップＳ１５に処理を進める。
【００４９】
ステップＳ１４では、端末をマナーモードに設定する。ただし、既に端末をマナーモードに設定していた場合は何もしない。ステップＳ１５では、端末のマナーモードを解除する。ただし、このとき既に端末のマナーモードを解除していた場合は何もしない。ステップＳ１４およびステップＳ１５のいずれの場合も、今回マナーモード信号を受信した時刻をもって新たな時間枠Ｗを設定するために、ステップＳ１６に処理を進める。
【００５０】
ステップＳ１６では、受信時刻ｔから始まる時間枠Ｗを設定するため、受信時刻ｔを時間枠Ｗの始点時刻ｔｓとしてメモリ１１に記録する。また、マナーモード推奨度ｒを０に初期化する。ステップＳ１７は、ステップＳ１２で時間枠Ｗ内であると判定した場合、もしくはステップＳ１６で新たに時間枠Ｗを開始した後の処理であり、今回ステップＳ１０で受信した分としてマナーモード推奨度ｒをｒ←ｒ＋１としてカウントする。ステップＳ１７の後はマナーモード信号受信処理を終了し、待ち受け状態に戻る。
【００５１】
図７を参照して本発明の実施例２の受信端末において、マナーモード信号受信処理によってマナーモードの設定を変更する動作を説明する。グラフの横軸は時刻を示しており、縦軸はマナーモード推奨度ｒの大きさを示す。時刻ｔｓ０に開始された時間枠Ｗ０の間、マナーモード推奨度ｒはマナーモード信号を受信する度に増加する。時間枠Ｗ０が開始時刻ｔｓ０から時間枠の長さＬを経過した後、最初にマナーモード信号を受信した時刻ｔｓ１において、時間枠Ｗ０のマナーモード推奨度ｒが評価される。図７の例では、このときＭ≦ｒであるので受信端末はマナーモードに設定される。続いて時間枠Ｗ１が時刻ｔｓ１より開始され、マナーモード推奨度ｒは再び０から累積される。マナーモード推奨度ｒは、時間枠Ｗ１の間、この時間枠Ｗ０と同様に増加していき、時間枠Ｗ１が終了した後、時刻ｔｓ２で時間枠Ｗ１のマナーモード推奨度ｒが評価される。時刻ｔｓ２におけるマナーモード推奨度はｒ＜Ｍであるので、受信端末のマナーモードは解除される。以降も同様に、時間枠ごとにマナーモード推奨度ｒの判定が繰り返される。
【００５２】
以上説明したように、本実施例における携帯通信端末システムでは、送信端末が、その場においては端末をマナーモードに設定するのが望ましいということを、マナーモード信号として周囲の受信端末に送信できる。一方で、受信端末は、送信端末が送信したマナーモード信号を受信し、所定時間枠内に所定の閾値以上のマナーモード推奨度が得られたかどうかで、マナーモードを設定することが望ましい状況かどうかを判定する。これによって、受信端末はマナーモードの設定および解除をその場の状況に応じて適切に行うことができる。
【００５３】
また、ディスプレイ１９上に、マナーモード推奨度ｒの値に応じて変化する文字や絵などを表示すれば、ユーザはマナーモード推奨度の高低を知ることができ、マナーモード推奨度ｒが閾値Ｍを超える前であっても手動でマナーモードを設定するなどして、騒音の発生を防ぐことができる。
【００５４】
このほか、マナーモードの設定処理および解除処理を自動的に行うときは、ディスプレイ１９上にダイアログを出してユーザの意思を確認したり、バイブレータ１７を振動させてユーザに注意を促したりするようにすれば、ユーザがマナーモードの設定状態を把握できるので望ましい。
【００５５】
マナーモード信号受信処理の結果として自動的にマナーモードを設定した後に、これをユーザが手動操作によって解除しようとする可能性がある。このように、周囲はマナーモードの設定が推奨されている状態であるにも拘らず、マナーモードを解除するのは好ましくない。したがって、そのような場合はマナーモードの解除を禁止するか、あるいはマナーモードを解除してよいかユーザに確認を求めるなどすることが望ましい。
【００５６】
図８は、本発明の実施例２の受信端末におけるマナーモード信号受信処理の第２の例を説明する。図８は、1回分のマナーモード信号受信処理である。図８の流れ図において図６の第１の例と同一の処理には図６と同一の番号を付与し、説明を省略する。以下の説明においては、図８に示す処理のうち、図６と異なる処理について説明する。
【００５７】
ステップＳ１３Ａは、図６におけるステップＳ１３の代替処理である。時間枠Ｗにおけるマナーモード推奨度ｒに基づいて、マナーモードの設定が適している状況かどうかを判定するという点では同じであるが、本例では、マナーモード推奨度ｒについて予め定められた閾値として、Ｍ１と、Ｍ１より小さな値であるＭ２とを用いる。図６の第１の例では、１つの閾値Ｍを用いてマナーモードを設定するか解除するかのいずれかを選択するが、本例ではｒと２つのＭ１およびＭ２との関係に基づいて、マナーモードを設定するか解除するか、あるいはマナーモードの設定状態を変更しないか、の３つから選択する。
【００５８】
マナーモード推奨度ｒがＭ１より大きい値である場合、即ち、Ｍ１＜ｒのとき、マナーモードを設定すべき状況と判定し、ステップＳ１４に処理を進める。
【００５９】
マナーモード推奨度ｒがＭ２以下の値である場合、即ち、ｒ≦Ｍ２のとき、マナーモードを解除してもよい状況と判定し、ステップＳ１５に処理を進める。
【００６０】
マナーモード推奨度ｒが、Ｍ２より大きく且つＭ１以下の値である場合、即ち、Ｍ２＜ｒ≦Ｍ１のとき、マナーモードの設定を変更せず新たな時間枠に入るため、そのままステップＳ１６に処理を進める。
【００６１】
以上説明したように、本例では、マナーモード推奨度ｒに対して２個の閾値Ｍ１およびＭ２を用いて、マナーモードを設定するか解除するか、あるいは状態を変更しないかを判定する。端末をマナーモードに設定する場合の閾値Ｍ１は、端末のマナーモードを解除する閾値Ｍ２よりも大きい。従って、マナーモード推奨度ｒが閾値Ｍ１以上になってマナーモードが設定されても、解除のための閾値Ｍ２がＭ１よりも小さいためにすぐには解除されにくい。また、マナーモード推奨度ｒが閾値Ｍ２より小さくなってマナーモードが解除されても、設定のための閾値Ｍ１がＭ２よりも大きいためにすぐにはマナーモードに戻りにくくなる。これにより、マナーモードの設定状態と解除状態が切り替わる頻度を低減できるため、適切かつ安定的にマナーモードの設定および解除を制御することができる。
【実施例３】
【００６２】
図９は、本発明の実施例３の送受信端末の構成を示すブロック図である。図２及び図５と共通のブロックについては同一の番号を付与して説明を省略する。送受信端末は、制御部１０、メモリ１１、タイマー１２、無線送信部１３、アンテナ１４、音声入力部１５、音声出力部１６、バイブレータ１７、無線受信部１８、ディスプレイ１９及び操作入力部２０を有する。本実施例は、図５の受信端末と比較して、無線送信部１３が付加されている点が異なる。
【００６３】
尚、本例の送受信端末は、通常の携帯電話として機能するように通信網に接続可能な通信機能を有してよいが、ここではその説明は省略する。
【００６４】
本実施例の送受信端末では、マナーモード信号以外に重みｋを用いる。重みｋはマナーモード推奨度を調整する機能を有する。重みｋは、マナーモード信号と共に送信されることができる。重みｋを用いて、自身の端末におけるマナーモード推奨度を調整することができるが、他の端末におけるマナーモード推奨度を調整することもできる。
【００６５】
例えば、ユーザがマナーモード信号送信停止処理の実行を忘れることもある。また、マナーモードの解除に伴って自動的にマナーモード信号送信停止処理を行うように構成されている端末であっても、ユーザが端末を常にマナーモードにすることを習慣にしている場合がある。このような場合、図６の第１の例では、受信側の端末では、マナーモード信号を受信し続け、マナーモード推奨度が高い状態が継続する。従って、マナーモード設定が不要な場所でも、マナーモードが設定された状態が継続される。
【００６６】
本例では、重みｋを用いることにより、このような問題を解決することができる。重みｋの使用態様について、以下に詳細に説明する。
【００６７】
図１０は、本発明の実施例３の送受信端末におけるマナーモード信号受信処理の第１の例を説明する。図１０は、1回分のマナーモード信号受信処理である。図１０の流れ図において図６の第１の例と同一の処理には図６と同一の番号を付与し、説明を省略する。以下の説明においては、図１０に示す処理のうち、図６と異なる処理について説明する。
【００６８】
図１０のステップＳ１７Ａは、図６におけるステップＳ１７の代替処理である。ステップＳ１７Ａでは、マナーモード推奨度ｒを次式に従って更新する。即ち、ｒ←ｒ＋ｋである。図６のステップＳ１７では受信１回につきマナーモード推奨度ｒを１ずつ増やすが、本実施例では、受信１回につき、重みｋを加える。つまり、マナーモード推奨度ｒは、時間枠Ｗにおける重みｋの総和である。重みｋは、マナーモード信号に付加して送信されたものである。
【００６９】
重みｋは、マナーモード信号の送信回数ｄを変数とする関数ｋ＝ｆ（ｄ）として表される。送信回数ｄは割り込みの度に１ずつ増える数であり、最初の割り込みのときはｄ＝１である。
【００７０】
図１１は、関数ｆ（ｄ）の例を示す。横軸は送信回数ｄ、縦軸はｆ（ｄ）の値、即ち、重みｋである。マナーモード信号は所定の間隔にて周期的に送信されるから、横軸の送信回数ｄは、時間に置き換えてもよい。図１１（ａ）の例では、関数ｆ（ｄ）は常に一定値をとる。図１１（ｂ）の例では、関数ｆ（ｄ）は初めは一定値で一定回数送信後は０になる。図１１（ｃ）の例では、関数ｆ（ｄ）は減少して一定回数送信後は一定値をとる。図１１（ｄ）の例では、関数ｆ（ｄ）は０になるまで減少する。
【００７１】
図１１（ａ）のような関数を用いれば実施例１と同様の動作が実現できる。図１１（ｂ）または図１１（ｄ）の関数を用いると、送信回数が所定の値を超えると、重みｋはゼロとなる。図１１（ｃ）のような関数を用いても、送信回数が所定の値を超えると、マナーモード推奨度ｒが所定の閾値より小さくなる。関数ｆ（ｄ）は図１１に示したものに限らず、任意のものを用いて構わない。尚、重みｋを受信端末にて使用する場合には、図１１のグラフの横軸は受信回数となる。ここでは、図１１（ｂ）、図１１（ｃ）又は図１１（ｄ）の場合を説明する。
【００７２】
受信側の端末では、マナーモード信号の受信毎に、ステップＳ１７Ａを繰り返すが、マナーモード信号の受信回数が増加するにつれて、マナーモード推奨度ｒは減少する。ステップＳ１３にて、マナーモード推奨度ｒが所定の閾値Ｍより小さくなり、ステップＳ１５にてマナーモードを解除する。従って、長時間にわたってマナーモードが設定されたままの状態が継続することはない。例えば、送信側の端末が、マナーモードを送信し続けても、受信側の端末では、マナーモードを解除することができる。
【００７３】
送信側の端末では、マナーモード信号の送信回数が所定の閾値を超えたら、送信を停止するように構成してよい。この場合、マナーモード信号の送信回数を計数する代わりに、図１１（ｂ）や図１１（ｄ）の重みｋを用いてよい。送信側の端末にて、マナーモード信号の送信毎に重みｋを検出し、重みｋが０になると、マナーモード信号送信停止処理を実行する。それにより電力の節約ができる。
【００７４】
以上説明したように、本例では、マナーモード推奨度ｒを重みによって調整することによって、長時間にわたってマナーモード信号を送信している端末の影響を小さくし、マナーモードを設定すべき状況かどうかを、より適切に判定できる。
【００７５】
また、例えば、重みｋに閾値Ｍ以上の値を設定できる送信端末は、背景技術（特許文献３）で説明したような、マナーモードを強制する信号を送信する外部機器の代わりとして使用できる。重みｋを閾値Ｍ未満の適切な値に設定することにより、マナーモードを強制しないながらも、マナーモードが望ましいという意図を伝達できる。同時に、マナーモードを強制されるというユーザの抵抗感を緩和することもできる。
【００７６】
図１２は、本発明の実施例３の送受信端末におけるマナーモード信号受信処理の第２の例を示す。図１２は、1回分のマナーモード信号受信処理である。図１２の流れ図において図６の例と同一の処理には図６と同一の番号を付与し、説明を省略する。尚、図１２に示す処理のうち、ステップＳ４０とステップＳ４１はマナーモード信号送信開始処理に関するものである。以下の説明においては、図１２の示す処理のうち、図６と異なる処理について説明する。
【００７７】
ステップＳ１３Ｂは、図６におけるステップＳ１３の代替処理である。ステップＳ１３Ｂは図６と同じく、マナーモード推奨度ｒが所定の閾値Ｍ以上かどうかを判定する処理であり、処理の分岐先を除いて実施例１と同じである。マナーモード推奨度ｒが閾値Ｍ未満の場合、即ち、ｒ＜Ｍのとき、マナーモードの設定は不要であると判定し、ステップＳ４０に処理を進める。時間枠Ｗ内にマナーモード推奨度ｒが閾値Ｍ以上の場合、即ち、ｒ≧Ｍのとき、現在の状況では自端末をマナーモードに設定すべきである判定し、ステップＳ４１に処理を進める。
【００７８】
ステップＳ４０では、送信する重みｋの値としてｋ１を用いるよう設定し、ステップＳ１５に処理を進める。ステップＳ４１では、送信する重みｋの値としてｋ１より小さいｋ２を用いるよう設定し、ステップＳ１４に処理を進める。
【００７９】
本例の場合、マナーモード信号送信開始処理は実施例１と同一である。ただし、送信されるマナーモード信号には重みｋが付加され、ｋの値は、ステップＳ４０あるいはステップＳ４１によってｋ１あるいはｋ２のいずれかに設定されている。
【００８０】
以上のように、マナーモード推奨度ｒが閾値Ｍ未満のときには大きな値の重みｋを付加したマナーモード信号を送ることで、他の受信端末が得られるマナーモード推奨度ｒが高くなるようにし、マナーモードがより設定されやすい状況にできる。
【００８１】
これにより、例えば、ある状況において送信端末の数が少ない場合、受信端末においてはマナーモード信号の受信頻度が少なくなり、マナーモード推奨度が閾値を超えにくくなるために機能が制限されにくいという問題を改善しやすくなる。
【００８２】
逆に、マナーモード推奨度ｒが閾値Ｍ以上のときには小さな値の重みｋを付加したマナーモード信号を送る。自端末のマナーモード推奨度ｒが大きい場合には、周囲の他の端末でもマナーモード推奨度ｒは大きいはずである。このような場合には、大きな値の重みｋを送る必要はない。
【００８３】
なお、本例では、閾値Ｍとマナーモード推奨度ｒとの比較結果に基づいて、重みｋを２段階に変化させたが、閾値を複数用いて多段階に変化させたり、重みｋがマナーモード推奨度ｒに応じて連続的に変化するようにしてもよい。
【００８４】
図１３は、本発明の実施例３の受信端末におけるマナーモード信号受信処理の第３の例を説明する。図１３は、1回分のマナーモード信号受信処理である。図１３の流れ図において図６の第１の例と同一の処理には図６と同一の番号を付与し、説明を省略する。尚、図１３に示す処理のうち、ステップＳ５０とステップＳ５１はマナーモード信号送信開始処理に関するものである。以下の説明においては、図１３に示す処理のうち、図６と異なる処理について説明する。
【００８５】
本例では、送信の方法を受信の状態に基づいて制御する。即ち、マナーモード信号を送信する時間間隔Ｐを、得られたマナーモード推奨度ｒの大きさによって変化させる。ある状況において送受信端末がマナーモード信号を受信した結果、閾値Ｍ以上のマナーモード推奨度ｒを得たとすれば、付近の他の受信端末も同様に、閾値前後のマナーモード推奨度を既に得ていると考えられる。したがって、この場合、マナーモード信号の送信頻度を低くする、即ち、マナーモード信号を送信する時間間隔Ｐを大きくする。こうして、送受信端末がマナーモード信号を頻繁に送信せずとも、周囲にマナーモードの設定を促すという目的はほぼ達せられている。
【００８６】
ステップＳ１３Ｂは、図６におけるステップＳ１３の代替処理である。ステップＳ１３Ｂは図６のステップＳ１３と同じく、マナーモード推奨度ｒが所定の閾値Ｍ以上かどうかを判定する処理であり、処理の分岐先を除いて図６の例と同じである。マナーモード推奨度ｒが閾値Ｍ未満の場合、即ち、ｒ＜Ｍのとき、マナーモードの設定は不要であると判定し、ステップＳ５０に処理を進める。時間枠Ｗ内にマナーモード推奨度ｒが閾値Ｍ以上の場合、即ち、ｒ≧Ｍのとき、現在の状況では自端末をマナーモードに設定すべきである判定し、ステップＳ５１に処理を進める。
【００８７】
ステップＳ５０では、図３のステップＳ２１におけるマナーモード信号送信のための割り込みの時間間隔Ｐとして、予め定められた値Ｐ１を用いるよう設定し、ステップＳ１５に処理を進める。ステップＳ５１では、図３のステップＳ２１におけるマナーモード信号送信のための割り込みの時間間隔Ｐとして、予め定められたＰ１より大きい値Ｐ２を用いるよう設定し、ステップＳ１４に処理を進める。
【００８８】
本例では、マナーモード信号送信開始処理は図３の実施例１と同一である。ただし、ステップＳ５０およびステップＳ５１によって割り込みの時間間隔がＰ１に設定してあるかＰ２に設定してあるかで、マナーモード信号の送信頻度が変化する。送信の時間間隔Ｐ１＜Ｐ２であるので、Ｐ２に設定してある場合、すなわち、マナーモード推奨度ｒが閾値Ｍ以上の値のときは、Ｐ１のときよりも送信の時間間隔は大きくなり、マナーモード信号の送信頻度は低くなる。
【００８９】
以上のように、本実施例では、既に他の送信端末からマナーモード信号が閾値Ｍを超えるほどに送信されている場所では、自端末からのマナーモード信号の送信間隔が長くなり、消費電力を節約することができる。
【００９０】
なお、本実施例では、閾値Ｍとマナーモード推奨度ｒとの比較結果に基づいて、時間間隔Ｐを２段階に変化させたが、閾値を複数用いて多段階に変化させたり、時間間隔Ｐがマナーモード推奨度ｒに応じて連続的に変化するようにしてもよい。
【００９１】
次に図示は省略するが、本発明の実施例３の送受信端末におけるマナーモード信号受信処理の第４の例を説明する。端末のユーザが他の端末に機能の制限を望むような場合、自らの端末の電源を率先して切ることも考えられる。即ち、マナーモードを設定する代わりに電源を切ることもある。実施例１の端末は電源オフの状態ではマナーモード信号を送信しないため、マナーモードが適切であるという意図を他のユーザに伝えることができない。そこで、本例は、電源をオフにしている場合にも間欠的に起動してマナーモード信号を送信し、他の端末が音を発生して迷惑を被ることを防止できる。
【００９２】
本例では、実施例１の動作に加えて、電源オフの間に所定時間ごとに端末を起動し、マナーモード信号を送信する。その他の動作および構成については実施例１と同一であるので、説明および図を省略する。
【００９３】
本例では、電源がオフとなったとき、タイマー１２によって、電源オフの後も所定時間おきに少なくとも無線送信部１３を起動する。従って、電源がオフでも、マナーモード信号を送信する。本例は、他の機能ブロックの電源がオフになった後にもタイマー１２には通電するような構成である。なお、省電力のため、起動するのは最小限の機能ブロックである方がよい。
【００９４】
ユーザの操作など、マナーモード信号を送信のための自動起動以外の理由で電源が再びオンになるときには、タイマー１２によって一定時間おきに起動するような設定を無効にする。
【００９５】
以上説明したように、本実施例による端末では、電源を切った後にもマナーモード信号を送信し、周囲の人に対して騒音を立てないよう注意を促すことができる。なお、電源オフ時のマナーモード信号送信の可否を、ユーザが自由に設定してメモリ１１に記録できるようにしてあるとよい。また、例えば実施例３と組み合わせて、電源オフ後のマナーモード信号の重みが送信回数の増加とともに下がり、一定回数送信後にはタイマー起動による送信を停止するようにすれば、消費電力を節約できる。
【００９６】
以上で実施例を挙げて説明したが、本発明の目的は、前述した実施例の機能を実現するソフトウェアのプログラムコードを記録した記憶媒体（メモリ１１など）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。
【００９７】
この場合、記憶媒体から読み出されたプログラムコード自体が前述した実施例の機能を実現することになり、そのプログラムコードを記憶した記憶媒体は本発明を構成することになる。
【００９８】
プログラムコードを供給するための記憶媒体としては、例えば、フロッピディスク、ハードディスク、光ディスク、光磁気ディスク、磁気テープ、不揮発性のメモリカード，等を用いることができる。
【００９９】
また、上記プログラムコードは、通信ネットワークのような伝送媒体を介して、他のコンピュータシステムからメモリ１１などへダウンロードされるものであってもよい。
【０１００】
また、コンピュータが読み出したプログラムコードを実行することにより、前述した実施例の機能が実現されるだけでなく、そのプログラムコードの指示に基づき、コンピュータ上で稼働しているＯＳ（オペレーティングシステム）などが実際の処理の一部または全部を行い、その処理によって前述した実施例の機能が実現される場合も含まれることは言うまでもない。
【０１０１】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施例の機能が実現される場合も含まれることは言うまでもない。
【０１０２】
本発明を上記記憶媒体に適用する場合、その記憶媒体には、先に説明した流れ図に対応するプログラムコードを格納することになる。
【０１０３】
本発明は上述した各実施例に限定されるものではなく、特許請求の範囲に記載された発明の範囲で種々の変更が可能である。
【図面の簡単な説明】
【０１０４】
【図１】本発明による携帯通信端末を含む通信システムの構成の例を示す図である。
【図２】本発明の第１の実施例の送信端末の機能ブロック図である。
【図３】本発明の第１の実施例の送信端末におけるマナーモード信号送信開始処理を示した流れ図である。
【図４】本発明の第１の実施例の送信端末におけるマナーモード信号送信停止処理を示した流れ図である。
【図５】本発明の第２の実施例の受信端末の機能ブロック図である。
【図６】本発明の第２の実施例の受信端末におけるマナーモード信号受信処理の第１の例を示した流れ図である。
【図７】本発明の第２の実施例の受信端末におけるマナーモード信号受信処理によるマナーモード変更処理を示した図である。
【図８】本発明の第２の実施例の受信端末におけるマナーモード信号受信処理の第２の例を示す流れ図である。
【図９】本発明の第３の実施例の送受信端末の機能ブロック図である。
【図１０】本発明の第３の実施例の受信端末におけるマナーモード信号受信処理の第１の例を示す流れ図である。
【図１１】本発明の第３の実施例の受信端末におけるマナーモード信号に含まれる重みを表わす関数ｆ（ｄ）の例を示す図である。
【図１２】本発明の第３の実施例の送受信端末におけるマナーモード信号受信処理の第２の例を示す流れ図である。
【図１３】本発明の第３の実施例の送受信端末におけるマナーモード信号受信処理の第３の例を示す流れ図である。
【図１４】従来技術におけるマナーモード判定処理を示す流れ図である。
【符号の説明】
【０１０５】
１…送信端末、２…送信端末、３…送受信端末、４…受信端末、５…受信端末、１０…制御部、１１…メモリ、１２…タイマー、１３…無線送信部、１４…アンテナ、１５…音声入力部、１６…音声出力部、１７…バイブレータ、１８…無線受信部、１９…ディスプレイ、２０…操作入力部
【図１】
2007028158.tif 000003
【図２】
2007028158.tif 000004
【図３】
2007028158.tif 000005
【図４】
2007028158.tif 000006
【図５】
2007028158.tif 000007
【図６】
2007028158.tif 000008
【図７】
2007028158.tif 000009
【図８】
2007028158.tif 000010
【図９】
2007028158.tif 000011
【図１０】
2007028158.tif 000012
【図１１】
2007028158.tif 000013
【図１２】
2007028158.tif 000014
【図１３】
2007028158.tif 000015
【図１４】
2007028158.tif 000016